(57)【要約】      （修正有）【課題】構成が簡単で、アイソレーションの良好な高周波ユニット提供すること。【解決手段】高周波ユニットにおいて、内、外カバー１２，１１の２重カバー構成によって、外部の送受信信号の進入によるノイズ等の発生を防ぐことが出来ると共に、内カバー１２を第１，第２のカバー部に分離する簡単な構成によって、アンテナ回路部９と段間回路部１０との間の接地強度を弱くできて、アンテナ回路部９と段間回路部１０との間のアイソレーションの良好なものが得られる。【選択図】図３
2007242696.tif 000002
【特許請求の範囲】
【請求項１】
四方が囲まれた壁部を有する枠体と、この枠体内に配置された回路基板と、前記枠体の開放部を覆った状態で配置された内、外カバーを備え、前記内カバーは、前記外カバー内に配置された状態で、前記開放部を覆うと共に、前記内カバーは、互いに分離した第１，第２の内カバー部で形成されたことを特徴とする高周波ユニット。
【請求項２】
前記第１，第２の内カバー部は、前記回路基板に形成されたアンテナ回路部と段間回路部との間で分離したことを特徴とする請求項１記載の高周波ユニット。
【請求項３】
前記アンテナ回路部と前記段間回路部との間は、前記枠体内に設けられたシールド板によって仕切られていることを特徴とする請求項２記載の高周波ユニット。
【請求項４】
前記外カバーには、前記内カバーを通って延び、前記シールド板に弾接する弾性片が設けられたことを特徴とする請求項３記載の高周波ユニット。
【請求項５】
前記第１，第２の内カバー部の外周部には、前記壁部の端面に弾接する曲げ部が設けられたことを特徴とする請求項２から４の何れか１項に記載の高周波ユニット。
【請求項６】
前記第１，第２の内カバー部は、前記外カバー内に保持されていることを特徴とする請求項２から５の何れか１項に記載の高周波ユニット。
【請求項７】
前記外カバーの外周部には、膨出部が設けられ、前記第１，第２の内カバー部の外周部が前記膨出部に掛け止めされて、前記第１，第２の内カバー部が前記外カバー内に保持されていることを特徴とする請求項６記載の高周波ユニット。
【請求項８】
前記外カバーは、内方に向けて突出する切り起部を有すると共に、前記第１，第２の内カバー部は、互いに分離した位置に設けられた第１，第２の突片を有し、この第１，第２の突片が前記切り起部に掛け止めされたことを特徴とする請求項２から７の何れか１項に記載の高周波ユニット。
【発明の詳細な説明】
【技術分野】
【０００１】
本発明は、ケーブルモデムやＣＡＴＶ等のデジタルチューナ等に使用して好適な高周波ユニットに関するものである。
【背景技術】
【０００２】
図６は従来の高周波ユニットに係る要部断面図であり、次に、従来の高周波ユニットの構成を図６に基づいて説明すると、金属板からなる枠体５１は、四方を囲む壁部５２と、この壁部５２の囲まれた位置に設けられた開放部５３と、内部を区画するシールド板５４を有する。
【０００３】
回路基板５５は、種々の電子部品５６が搭載されて、所望の電気回路が形成されると共に、この回路基板５５は、枠体５１内に配置され、隣り合う電気回路がシールド板５４によって区画された状態で枠体５１に取り付けられている。
【０００４】
枠体５１の開放部５３を覆うカバーは、内、外カバー５７，５８で構成され、内カバー５７は、開放部５３を覆った状態で、枠体５１とシールド板５４の端面に弾接すると共に、外カバー５８は、内カバー５７の膨出部５７ａに弾接し、内カバー５７を覆った状態で、枠体５１に取り付けられて、従来の高周波ユニットが形成されている（例えば、特許文献１参照）。
【特許文献１】特開閉１０−２７６３７４号公報
【発明の開示】
【発明が解決しようとする課題】
【０００５】
しかし、従来の高周波ユニットにあっては、カバー構成を内、外カバー５７，５８にすることによって、外部の送受信信号である高周波信号の進入によるノイズ等の発生を防ぐことが出来るが、１枚の内、外カバー５７、５８で構成され、内カバー５７によるシールド板５４への接地強化が図られているため、アンテナ回路部と段間回路部との間の信号の導通状態が良化し、アンテナ回路部と段間回路部との間のアイソレーションが悪化するという問題がある。
【０００６】
本発明は、このような従来技術の実情に鑑みてなされたもので、その目的は、構成が簡単で、アイソレーションの良好な高周波ユニットを提供することにある。
【課題を解決するための手段】
【０００７】
上記の目的を達成するために、本発明は、四方が囲まれた壁部を有する枠体と、この枠体内に配置された回路基板と、枠体の開放部を覆った状態で配置された内、外カバーを備え、内カバーは、外カバー内に配置された状態で、開放部を覆うと共に、内カバーは、互いに分離した第１，第２の内カバー部で形成されたことを特徴としている。
【０００８】
このように構成した本発明は、内、外カバーのカバー構成にすることによって、外部の送受信信号である高周波信号の進入によるノイズ等の発生を防ぐことが出来ると共に、内カバーを第１，第２のカバー部に分離する簡単な構成によって、アンテナ回路部と段間回路部との間の接地強度を弱くできて、アンテナ回路部と段間回路部との間のアイソレーションの良好なものが得られる。
【０００９】
また、本発明は、上記発明において、第１，第２の内カバー部は、回路基板に形成されたアンテナ回路部と段間回路部との間で分離したことを特徴としている。
【００１０】
このように構成した本発明は、第１，第２の内カバー部の分離位置がアンテナ回路部と段間回路部との間であるため、アンテナ回路部と段間回路部との間のアイソレーションの一層良好なものが得られる。
【００１１】
また、本発明は、上記発明において、アンテナ回路部と段間回路部との間は、枠体内に設けられたシールド板によって仕切られていることを特徴としている。
【００１２】
このように構成した本発明は、アンテナ回路部と段間回路部との間に位置するシールド板の存在によって、両回路間の電気的シールドが図れて、性能の良好なものが得られる。
【００１３】
また、本発明は、上記発明において、外カバーには、内カバーを通って延び、シールド板に弾接する弾性片が設けられたことを特徴としている。
【００１４】
このように構成した本発明は、第１，第２の内カバー部の分離位置では接地が弱く、外カバーでは、シールド板に対する接地の強化が図れて、アンテナ回路部と段間回路部との間のシールド効果を高めることができる。
【００１５】
また、本発明は、上記発明において、第１，第２の内カバー部の外周部には、壁部の端面に弾接する曲げ部が設けられたことを特徴としている。
【００１６】
このように構成した本発明は、内カバーの外周に位置する曲げ部が枠体に弾接することによって、枠体内への外部の送受信信号の進入を確実にできる。
【００１７】
また、本発明は、上記発明において、第１，第２の内カバー部は、外カバー内に保持されていることを特徴としている。
【００１８】
このように構成した本発明は、内カバーが外カバーに仮止めされた状態で、枠体に取り付けできて、組立性が良く、生産性の良好なものが得られる。
【００１９】
また、本発明は、上記発明において、外カバーの外周部には、膨出部が設けられ、第１，第２の内カバー部の外周部が膨出部に掛け止めされて、第１，第２の内カバー部が外カバー内に保持されていることを特徴としている。
【００２０】
このように構成した本発明は、内カバーが外カバーの膨出部に掛け止めされているため、簡単な構成で、内カバーの保持ができる。
【００２１】
また、本発明は、上記発明において、外カバーは、内方に向けて突出する切り起部を有すると共に、第１，第２の内カバー部は、互いに分離した位置に設けられた第１，第２の突片を有し、この第１，第２の突片が切り起部に掛け止めされたことを特徴としている。
【００２２】
このように構成した本発明は、第１，第２の内カバー部の分離位置での支持が良好となって、振動や衝撃等における第１，第２の内カバー部の分離位置のガタツキを防止できる。
【発明の効果】
【００２３】
本発明は、内、外カバーのカバー構成にすることによって、外部の送受信信号である高周波信号の進入によるノイズ等の発生を防ぐことが出来ると共に、内カバーを第１，第２のカバー部に分離する簡単な構成によって、アンテナ回路部と段間回路部との間の接地強度を弱くできて、アンテナ回路部と段間回路部との間のアイソレーションの良好なものが得られる。
【発明を実施するための最良の形態】
【００２４】
発明の実施の形態について図面を参照して説明すると、図１は本発明の高周波ユニットに係る下面図、図２は本発明の高周波ユニットに係る縦断面図、図３は本発明の高周波ユニットに係る横断面図、図４は本発明の高周波ユニットに係る第１，第２の内、外カバーの分解斜視図、図５は本発明の高周波ユニットに係る第１，第２の内、外カバーを組み合わせた状態を示す斜視図である。
【００２５】
次に、本発明の高周波ユニットに係る構成を図１〜図５に基づいて説明すると、金属板からなる枠体１は、四方を囲む壁部２と、この壁部２の囲まれた位置に設けられた開放部３と、内部を区画する複数のシールド板４と、同軸型コネクタ５を有する。
【００２６】
回路基板６は、配線パターン７と、搭載された種々の電子部品８を有して、アンテナ回路部９や段間回路部１０を含む所望の電気回路が形成されると共に、電気回路に接続された端子Ｔが設けられている。
【００２７】
この回路基板６は、枠体１内に配置され、アンテナ回路部９と段間回路部１０間を含む隣り合う電気回路がシールド板４によってシールドされた状態で枠体１に取り付けられると共に、端子Ｔが枠体１外に突出している。
【００２８】
金属板からなる第１の外カバー１１は、図４，図５に示すように、内方に切り起された複数の弾性片１１ａと、中央部の一部が内方に向けて切り起こされた切り起部１１ｂと、外周部に設けられた膨出部１１ｃを有する。
【００２９】
金属板からなる第１の内カバー１２は、図４，図５に示すように、二つに分離された第１，第２の内カバー部１３、１４を有し、この第１，第２の内カバー部１３，１４は、外周部に設けられた切り曲げ部１３ａ、１４ａと、弾性片１１ａを通す孔や切り欠き部からなる逃げ部１３ｂ、１４ｂと、互いに分離した位置で突出する突片１３ｃ、１４ｃを有する。
【００３０】
この第１，第２の内カバー部１３，１４は、突片１３ｃ、１４ｃが第１の外カバー部１１の切り起部１１ｂに掛け止めされた状態で、第１の外カバー１１内に嵌合されて、曲げ部１３ａ、１４ａが膨出部１１ｃ内に掛け止めされて、第１，第２の内カバー部１３，１４は、第１の外カバー１１に保持（仮止め）された状態になると共に、弾性片１１ａは、逃げ部１３ｂ、１４ｂを通って突出している。
【００３１】
このような構成を有する第１の外、内カバー１１，１２が枠体１の一方の開放部３を覆うように枠体１に取り付けられると、図２，図３に示すように、第１，第２の内カバー部１３，１４の曲げ部１３ａ、１４ａは、壁部２の端面に弾接すると共に、第１の外カバー１１の弾性片１１ａは、回路基板６から突出したシールド板４の突部に弾接する。
【００３２】
この時、端子Ｔは、第１の外、内カバー１１，１２を通って外方に突出し、また、弾性片１１ａは、アンテナ回路部９と段間回路部１０間に位置するシールド板４に接触すると共に、第１，第２の内カバー部１３，１４は、アンテナ回路部９と段間回路部１０との間で分離した状態となって、シールド板４に対する第１，第２の内カバー部１３，１４の接地強度を弱くしている。
【００３３】
金属板からなる第２の外カバー１５は、外周部に設けられた膨出部１５ａを有すると共に、金属板からなる第２の内カバー１６は、外周部に設けられた切り曲げ部１６ａを有する。
【００３４】
この第２の外、内カバー１５，１６は、第２の内カバー１６が第２の外カバー１５内に嵌合されて、曲げ部１６ａが膨出部１５ａ内に掛け止めされて、第２の内カバー１６は、第２の外カバー１５に保持（仮止め）された状態になる。
【００３５】
このような構成を有する第２の外、内カバー１５，１６が枠体１の他方の開放部３を覆うように枠体１に取り付けられると、図２，図３に示すように、第２の内カバー１６の曲げ部１６ａは、壁部２の端面に弾接して、本発明の高周波ユニットが形成されている。
【００３６】
このような構成を有する高周波ユニットにあっては、枠体１の開放部３のそれぞれが内、外カバーによって覆われたカバー構成にすることによって、外部の送受信信号である高周波信号の進入によるノイズ等の発生を防ぐことが出来ると共に、第１の内カバー１２を第１，第２のカバー部１３，１４に分離することによって、アンテナ回路部９と段間回路部１０との間の接地が弱くなって、アンテナ回路部９と段間回路部１０との間のアイソレーションを良好にできる。
【図面の簡単な説明】
【００３７】
【図１】本発明の高周波ユニットに係る下面図である。
【図２】本発明の高周波ユニットに係る縦断面図である。
【図３】本発明の高周波ユニットに係る横断面図である。
【図４】本発明の高周波ユニットに係る第１，第２の内、外カバーの分解斜視図である。
【図５】本発明の高周波ユニットに係る第１，第２の内、外カバーを組み合わせた状態を示す斜視図である。
【図６】従来の高周波ユニットに係る要部断面図である。
【符号の説明】
【００３８】
１  枠体
２  壁部
３  開放部
４  シールド板
５  同軸型コネクタ
６  回路基板
７  配線パターン
８  電子部品
Ｔ  端子
９  アンテナ回路部
１０  段間回路部
１１  第１の外カバー
１１ａ  弾性片
１１ｂ  切り起部
１１ｃ  膨出部
１２  第１の内カバー
１３  第１の内カバー部
１４  第２の内カバー部
１３ａ、１４ａ  曲げ部
１３ｂ、１４ｂ  逃げ部
１３ｃ、１４ｃ  突片
１５  第２の外カバー
１５ａ  膨出部
１６  第２の内カバー
１６ａ  曲げ部
【図１】
2007242696.tif 000003
【図２】
2007242696.tif 000004
【図３】
2007242696.tif 000005
【図４】
2007242696.tif 000006
【図５】
2007242696.tif 000007
【図６】
2007242696.tif 000008